(57)【要約】【課題】機能性が高く、ルーズリーフではない一般的な書類に対応するバインダー文具を提供することを目的とする。【解決手段】バインダー文具１は、一連に設けられている綴じ部２、第１連結部３、本体部４、第２連結部５、及び、カバー部６と、紙体を綴じるためのバインダー部材７とを有し、前記綴じ部２の端部２１の内側に前記カバー部６の端部６１を差し込むことにより前記カバー部６を前記綴じ部２に係止可能となっており、前記バインダー部材７は、前記綴じ部２に設けられた第１係合部材７１と、前記本体部４の表面４１であって前記第１係合部材７１と対応する位置に設けられると共に前記第１係合部材７１と係合可能な第２係合部材７２とから構成されている。【選択図】図１
2013031982.tif 000002
【特許請求の範囲】
【請求項１】
一連に設けられている綴じ部、第１連結部、本体部、第２連結部、及び、カバー部と、紙体を綴じるためのバインダー部材とを有し、
前記綴じ部の端部の内側に前記カバー部の端部を差し込むことにより前記カバー部を前記綴じ部に係止可能となっており、
前記バインダー部材は、前記綴じ部に設けられた第１係合部材と、前記本体部の表面であって前記第１係合部材と対応する位置に設けられると共に前記第１係合部材と係合可能な第２係合部材とから構成されていることを特徴とするバインダー文具。
【請求項２】
前記第２連結部は前記カバー部が前記本体部の裏面に沿うように折り返し可能とする折り目を有することを特徴とする請求項１記載のバインダー文具。
【請求項３】
前記第１係合部材は凹部を備えており、前記第２係合部材は前記第１係合部材の凹部と係合可能な凸部を備え、前記第１係合部材と前記第２係合部材は２穴パンチの穴と穴との間隔に対応する距離を隔てて二組設けられていることを特徴とする請求項１記載のバインダー文具。
【発明の詳細な説明】
【技術分野】
【０００１】  本発明は、書類の保持等に使用するバインダー文具に関する。
【背景技術】
【０００２】  従来、書類の保持等に使用するバインダー文具は、図７に示すようなものであり、本体部の表面にバインダー金具が設けられている。このバインダー文具は、バインダー金具によって書類を挟み込むことができる。なお、この従来のバインダー文具はクリップボードとも呼ばれている。
【発明の開示】
【発明が解決しようとする課題】
【０００３】  上記のようなバインダー文具は、本体部の表面に書類を保持することが主な機能であり、それ以外の機能を有していない。また、このようなバインダー文具ではバインダー金具に接している書類のみが保持されるため、多数枚の書類を確実に保持することが困難であるという問題点があった。このため、上記のようなバインダー文具はほとんど用いられなくなり、いわゆるルーズリーフ用紙に対応する多穴バインダー文具が一般的に用いられるようになっている。しかし、多穴バインダー文具はルーズリーフ用紙にしか対応することができないため、コピーした紙の裏面を再利用する場合等、上記のようなバインダー文具では対応可能であった一般的な書類を保持することができない。【０００４】  上記問題に鑑み、本発明は機能性が高く、一般的な書類に対応するバインダー文具を提供することを目的とする。
【課題を解決するための手段】
【０００５】  本発明に係るバインダー文具は、一連に設けられている綴じ部、第１連結部、本体部、第２連結部、及び、カバー部と、紙体を綴じるためのバインダー部材とを有し、前記綴じ部の端部の内側に前記カバー部の端部を差し込むことにより前記カバー部を前記綴じ部に係止可能となっており、前記バインダー部材は、前記綴じ部に設けられた第１係合部材と、前記本体部の表面であって前記第１係合部材と対応する位置に設けられると共に前記第１係合部材と係合可能な第２係合部材とから構成されていることを特徴とする。【０００６】  本発明に係るバインダー文具は、前記第２連結部は前記カバー部が前記本体部の裏面に沿うように折り返し可能とする折り目を有することが好ましい。【０００７】  本発明に係るバインダー文具は、前記第１係合部材は凹部を備えており、前記第２係合部材は前記第１係合部材の凹部と係合可能な凸部を備え、前記第１係合部材と前記第２係合部材は２穴パンチの穴と穴との間隔に対応する距離を隔てて二組設けられていることが好ましい。
【発明の効果】
【０００８】  請求項１記載の本発明に係るバインダー文具は、綴じ部に設けた第１係合部材と本体部の表面に設けた第２係合部材が係合することにより、綴じ部が本体部と係合し、さらに、その綴じ部の端部の内側にカバー部の端部を差し込むことによりカバー部を綴じ部に係止可能となっている。このため綴じ部に係止されたカバー部は本体部に対して簡単に開くことがない。また、書類の間にカバー部を差し込むことが可能であり、この場合にはカバー部を下敷きの代わりに利用することが可能である。【０００９】  請求項２記載の本発明に係るバインダー文具は、カバー部が本体部の裏面に沿うように折り返し可能とする折り目が第２連結部に設けられているため、複数の書類をバインダー金具に綴じたままめくってゆく際にもカバー部が邪魔にならず、また、本体部の裏面に折り返されたカバー部により本体部が浮き上がらないという利点がある。【００１０】  請求項３記載の本発明に係るバインダー金具は、第１係合部材が凹部を備えており、第２係合部材が第１係合部材の凹部と係合可能な凸部を備えているため、第２係合部材の凸部を使用して書類に穴をあけることが出来る。また、第１係合部材と前記第２係合部材が２穴パンチの穴と穴との間隔に対応する距離を隔てて二組設けられているため、２穴パンチにより穴があけられている書類を綴じ込むことができる。
【発明を実施するための最良の形態】
【００１１】  以下、図１ないし図６を参照しつつ本発明の実施形態について詳細に説明する。本実施形態のバインダー文具１は、一連に設けられている綴じ部２、第１連結部３、本体部４、第２連結部５、及び、カバー部６と、紙体を綴じるためのバインダー部材７とを有し、前記綴じ部２の端部の内側に前記カバー部６の端部６１を差し込むことにより前記カバー部６を前記綴じ部２に係止可能となっており、前記バインダー部材７は、前記綴じ部２に設けられた第１係合部材７１と、前記本体部４の表面４１であって前記第１係合部材７１と対応する位置に設けられると共に前記第１係合部材７１と係合可能な第２係合部材７２とから構成されていることを特徴とする。【００１２】  図１及び図２に示すように、本実施形態において長手方向に一連に設けられている綴じ部２、第１連結部３、本体部４、第２連結部５、及び、カバー部６の各部分は、１枚の長方形状のシート状基材（厚紙や合成樹脂板等）を折り曲げることにより形成される。【００１３】  第１連結部３と第２連結部５は一定の長さがあるため、書類を多数枚綴じた場合にもその書類の厚みに対応できる。また、一定の長さを持たせた第１連結部３は、当該第１連結部３の内側に形成される空間に紐体を通し、バインダー文具１を吊り下げることを可能とする。一方、第２連結部５の内側にはクリップ付きのボールペン等を係止することが可能である。【００１４】  図３及び図４に示すように、綴じ部２の端部の内側にカバー部６の端部６１を差し込むことが可能である。これは各部の連設方向において本体部４の長さよりもカバー部６が短いためであり、より正確には、カバー部６の長さは、本体部４の長さからバインダー部材７の第２係合部材７２の設置スペース長を差引いた長さということになる。【００１５】  図５に示すように、最上部に位置する書類の下にカバー部６を差し込むことも可能である。この場合、カバー部６は当該書類の下敷きの代わりとして機能する。従って、書類に筆記具で書き込みを行う場合、いちいちバインダー文具１から当該書類を取り外す必要がない。同様に、カバー部６は書類の一番下に差し込むことも可能である。この場合、カバー部６は本体部４の表面４１に向かい合うように収容されることになる。この状態におけるバインダー文具１は、図７に示す従来のバインダー文具と略同様の機能を果たす。【００１６】  図６に示すように、第２連結部５はその中央部に折り目を有しており、この折り目を折り曲げることにより、カバー部６が本体部４の裏面に沿うように折り返すことが可能となる。この状態にすると、書類を順にめくって読むことができるため、バインダー文具１をプレゼンテーションに使用することができる。【００１７】  バインダー部材７は第１係合部材７１と第２係合部材７２とから構成されている。第１係合部材７１と第２係合部材７２は、２穴パンチの穴と穴との間隔に対応する距離を隔てて二組設けられている。このため、２穴パンチにより穴があけられている書類をそのまま綴じることが可能である。【００１８】  第１係合部材７１は綴じ部２に設けられており、いわゆる２本バネホックと呼ばれている部材である。この第１係合部材７１は凹部７１Ａを備えている。【００１��】  一方、第２係合部７２は本体部４の表面４１に設けられている。また、第２係合部７２は、第１係合部材７１と対応する位置に設けられている。そして、この第２係合部７２は凸部７２Ａを備えており、この凸部７２Ａは第１係合部材７１の凹部７１Ａと係合可能となっている。【００２０】  第２係合部７２は本体部４の表面に設けられているため、書類を第２係合部７２の凸部７２Ａに強く押し付けて穴をあけ、そのまま綴じることが可能となっている。【００２１】  なお、本実施形態において、第１連結部３と第２連結部５は図１に示すような板状の形態である必要はなく、可撓性を有する半円弧状の断面を有するものや、複数の折り曲げ部分から構成されているものであっても良い。【００２２】  また、本実施形態のバインダー文具１は、綴じ部２、第１連結部３、本体部４、第２連結部５、及び、カバー部６が一連に設けられているが、ここで言う「一連に」とは部材が順に設けられている意味であり、それら各部材を１枚のシート状基材から製作する必要はない。例えば、綴じ部のみを別部材とし、これを他の部材に接着して製作することも可能である。【００２３】  さらに、本実施形態のバインダー文具１に綴じる書類は、紙類に限らない。例えば、透明な合成樹脂フィルムを袋状にし、写真等を収納可能にしたいわゆるクリアファイルを綴じることが可能である。この場合、バインダー文具１は、差し替え可能なフォトアルバムとして利用可能である。
【図面の簡単な説明】
【００２４】
【図１】本発明の実施形態に係るバインダー文具１の斜視図である。
【図２】図１に示すバインダー文具１の展開図である。破線は折線を示している。
【図３】図１に示すバインダー文具１のカバー部６の端部６１を綴じ部２の下方へ差し込み、バインダー文具１を綴じた状態を示す斜視図である。
【図４】図１に示すバインダー文具１のカバー部６の端部６１を綴じ部２の下方へ差し込み、バインダー文具１を綴じた状態を示す側面説明図である。
【図５】図１に示すバインダー文具１のカバー部６を書類の下方へ配置し、カバー部６を下敷きとして使用している状態を示す側面説明図である。
【図６】図１に示すバインダー文具１のカバー部６を本体部４の背面側に配置し、書類を露出した状態を示す側面説明図である。
【図７】従来のバインダー文具を示す斜視図である。
【符号の説明】
【００２５】１    バインダー文具
２    綴じ部
３    第１連結部
４    本体部
４１  本体部表面
５    第２連結部
６    カバー部
６１  カバー部端部
７    バインダー部材
７１  第１係合部材
７１Ａ  凹部
７２  第２係合部材
７２Ａ  凸部
【図１】
2013031982.tif 000003
【図２】
2013031982.tif 000004
【図３】
2013031982.tif 000005
【図４】
2013031982.tif 000006
【図５】
2013031982.tif 000007
【図６】
2013031982.tif 000008
【図７】
2013031982.tif 000009